(57)【要約】【課題】人間が建屋内に居るか否かをより確実に検知できる電力監視処理システムを提供する。【解決手段】電力監視処理システムは、建屋１の電力供給口２と電気機器３との間に介在する電力監視部４と、電力監視部４から送られるデータに基づく処理を行う中央処理部５とを備える。各電力監視部４は、これに接続されている電気機器３に供給される電力を測定する電流センサ８と温湿度センサ９とを備える。中央処理部５は、各電力監視部４から送られる電流センサ８と温湿度センサ９との検出データに基づいて建屋１に人間が居るか否かを判定する存否判定部１５を備える。【選択図】図２
2019080149.tif 000002
【特許請求の範囲】
【請求項１】
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続されている電気機器に供給される電力を測定するための電流センサと、
該電力監視部の周辺の温度及び湿度を検出する温湿度センサと、
該電力監視部に接続されている電気機器への電力供給路を、前記中央処理部からの遮断指令に基づいて遮断する電力遮断部と、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び温湿度センサの検出データに基づいて前記建屋に人間が居るか否かを判定する存否判定部とを備え、
前記中央処理部は、前記存否判定部により人間が居ない旨の判定がなされた場合に、少なくとも該人がいない旨の判定がなされた電力監視部に前記遮断指令を送ることを特徴とする電力監視処理システム。
【請求項２】
請求項１に記載の電力監視処理システムにおいて、
前記中央処理部は、
前記電気機器への電力供給路を遮断すべきであると判定した場合に全部または一部の電力監視部に前記遮断指令を送る保護部を有することを特徴とする電力監視処理システム。
【請求項３】
請求項１又は２に記載の電力監視処理システムにおいて、
前記中央処理部は、前記存否判定部により人が居ない旨の判定がなされた場合に、さらに各電力監視部に接続されている各電気機器又は各電力監視部の周辺にある各電気機器の種類に関する情報に基づき各電気機器への電力供給路を遮断すべきか否かを判定し、該電気機器への電力供給路を遮断すべきであると判定した場合に、少なくとも該電力供給路を遮断すべきであると判定された電気機器が接続されている電力監視部又は該電力供給路を遮断すべきと判定された電気機器が周辺にある電力監視部に前記遮断指令を送ることを特徴とする電力監視処理システム。
【請求項４】
請求項１〜３に記載の電力監視処理システムにおいて、
各電力監視部は、
該電力監視部に接続されている電気機器と該電力監視部の周辺の電気機器とのいずれか一方又は両方に対して、前記中央処理部から指示されたコマンドを送信するコマンド送信部を備え、
前記中央処理部は、前記存否判定部により人が居ない旨の判定がなされた場合に、少なくとも該人がいない旨の判定がなされた電力監視部に対し、該電力監視部に接続されている電気機器と該電力監視部の周辺の電気機器とのいずれか一方又は両方に送信すべきコマンドを指示するコマンド指示部を有することを特徴とする電力監視処理システム。
【請求項５】
請求項１〜４に記載の電力監視処理システムにおいて、
前記中央処理部は、前記存否判定部により人が居ない旨の判定がなされた場合に、さらに各電力監視部に接続されている電気機器又は各電力監視部の周辺にある電気機器の種類に関する情報に基づき各電気機器へのコマンド指示をすべきか否かを判定し、該電気機器へのコマンド指示をすべきであると判定した場合に、少なくとも該電力供給路を遮断すべきであると判定された電気機器が接続されている電力監視部又は該電力供給路を遮断すべきと判定された電気機器が周辺にある電力監視部にコマンドを指示するコマンド指示部を有することを特徴とする電力監視処理システム。
【請求項６】
請求項１〜５に記載の電力監視処理システムにおいて、
前記中央処理部は、前記電力監視部に接続されている電気機器へ供給される電力を遮断するための制御信号を通信ネットワークを介して受信し、該制御信号に基づいて遮断指令を該電力監視部に送信することを特徴とする電力監視処理システム。
【請求項７】
請求項１〜６に記載の電力監視処理システムにおいて、
前記中央処理部は、前記電力監視部に接続されている少なくとも一つの電気機器又は前記電力監視部の周辺の少なくとも一つの電気機器に所定の動作をさせるための制御信号を通信ネットワークを介して受信し、該制御信号を該電力監視部に送信することのできるコマンド指示部を有することを特徴とする電力監視処理システム。
【請求項８】
請求項７に記載の電力監視処理システムにおいて、
前記電気機器が前記建屋のスマートキーシステムであることを特徴とする電力監視処理システム。
【請求項９】
請求項７に記載の電力監視処理システムにおいて、
前記電気機器が照明器具であることを特徴とする電力監視処理システム。
【請求項１０】
請求項７に記載の電力監視処理システムにおいて、
前記電気機器がエアコンディショナであることを特徴とする電力監視処理システム。
【請求項１１】
請求項７に記載の電力監視処理システムにおいて、
前記電気機器がガスメータであることを特徴とする電力監視処理システム。
【発明の詳細な説明】
【技術分野】
【０００１】
本発明は、建屋の電力供給口と電気機器との間に介在して該電気機器に供給される電力を監視するための電力監視部を有する電力監視処理システムに関する。
【背景技術】
【０００２】
従来、建屋の電力供給口と電気機器との間に介在して該電気機器に供給される電力を監視するとともに各種機能を有する電力監視部と、複数の該電力監視部から送られるデータに基づく処理を行う中央処理部とを備えた電力監視処理システムが知られている（例えば、特許文献１参照）。
【０００３】
特許文献１のシステムでは、電力監視部としてのスマート電源タップに温度センサや湿度センサ、明るさセンサを接続することができ、これらセンサの検出データが中央処理部に送られるようになっている。中央処理部は、かかる検出データに基づき、各スマート電源タップのＩＲセンサ部を介して、各スマート電源タップに接続されている電気機器の遠隔制御を行うことができる。
【０００４】
また、上記のような電力監視部として、温度センサや湿度センサに加えて人体検知センサを備え、これらセンサの検出データに基づいてエアコンディショナなどを制御する機能を有するものも知られている（例えば、特許文献２参照）。特許文献２のものにおいては、所定時間人体の検出が行われない場合には、エアコンディショナの設定温度を消費電力が減少するように設定変更したり、エアコンディショナの動作を停止させたりする制御が行われる。
【先行技術文献】
【特許文献】
【０００５】
【特許文献１】特開２０１４−２２５８３３号公報
【特許文献２】特許第５１８２０４３号公報
【発明の概要】
【発明が解決しようとする課題】
【０００６】
しかしながら、上記特許文献１の装置によれば、温度センサ等の検出データに基づいて電気機器の遠隔操作を行う際に、建屋内に人間がいるかどうかとは無関係に制御を行うので、人間がいるにも関わらずエアコンディショナを停止させたり、照明器具を消灯させたりするなどの不都合を生じさせるおそれがある。
【０００７】
また、上記特許文献２のものでは、人体検知センサの検出データを考慮してエアコンディショナを制御することにより消費電力の減少を図っているが、人間が少しの間でも部屋内にいない場合にはエアコンディショナを停止などする制御が行われるので、意図しないタイミングでエアコンディショナが停止される場合がある。
【０００８】
本発明の目的は、かかる従来技術の課題に鑑み、人間が建屋内に居るか否かを簡易かつ確実に検知して、より適切な機器の制御が実現できる電力監視処理システムを提供することにある。
【課題を解決するための手段】
【０００９】
第１発明に係る電力監視処理システムは、
建屋の電力供給口と電気機器との間に介在して該電気機器に供給される電力を監視する電力監視部と、複数の該電力監視部から送られるデータに基づく処理を行う中央処理部とを備えた電力監視処理システムであって、
各電力監視部は、
該電力監視部に接続されている電気機器に供給される電力を測定するための電流センサと、
該電力監視部の周辺の温度及び湿度を検出する温湿度センサと、
該電力監視部に接続されている電気機器への電力供給路を、前記中央処理部からの遮断指令に基づいて遮断する電力遮断部と、
前記中央処理部との間でデータ通信を行うための端末通信部とを備え、
前記中央処理部は、
各電力監視部の前記端末通信部との間でデータ通信を行う中央通信部と、
各電力監視部から送られる前記電流センサ及び温湿度センサの検出データに基づいて前記建屋に人間が居るか否かを判定する存否判定部とを備え、
前記中央処理部は、前記存否判定部により人間が居ない旨の判定がなされた場合に、少なくとも該人がいない旨の判定がなされた電力監視部に前記遮断指令を送ることを特徴とする。
【００１０】
第１発明によれば、建屋内の人間そのものを検出するのではなく、人間が存在することより生じる電力の消費及び、人間がいる場合の温度範囲と温度センサの検出データが示す温度とを比較すること又は人間がいる場合の湿度範囲と湿度センサの検出データが示す湿度とを比較することにより人間が建屋内に居るか否かを判断して、人間が居ない旨の判定がなされた場合に、電力監視部に遮断指令を送ることができる。
【００１１】
このように、第１発明によれば、人間が建屋内に居るか否かを簡易かつ確実に検知して、より適切な機器の制御を実現できる電力監視処理システムを提供することができる。
【００１２】
第２発明は、第１発明において、
前記中央処理部は、
前記電気機器への電力供給路を遮断すべきであると判定した場合に全部または一部の電力監視部に前記遮断指令を送る保護部を有することを特徴とする。
【００１３】
第２発明によれば、中央処理部からの命令により必要に応じて、人間が居ない旨の判定がなされた場合に、電力監視部に遮断指令を送り、電気機器への電力供給路を遮断できる。
【００１４】
このように、第２発明によれば、中央処理部において電力供給路の遮断の必要性を判定するので、さらに適切な機器の制御を実現できる電力監視処理システムを提供することができる。
【００１５】
第３発明は、第１又は第２の発明において、
前記中央処理部は、前記存否判定部により人が居ない旨の判定がなされた場合に、さらに各電力監視部に接続されている各電気機器又は各電力監視部の周辺にある各電気機器の種類に関する情報に基づき各電気機器への電力供給路を遮断すべきか否かを判定し、該電気機器への電力供給路を遮断すべきであると判定した場合に、少なくとも該電力供給路を遮断すべきであると判定された電気機器が接続されている電力監視部又は該電力供給路を遮断すべきと判定された電気機器が周辺にある電力監視部に前記遮断指令を送ることを特徴とする。
【００１６】
第３発明によれば、存否判定部による人が居ない旨の判定に加え、電気機器の種類に応じて電力供給路の遮断指令を送るか否かを判定することができるので、電力供給路を遮断すべき種類の電気機器のみを選択し、電力供給路の遮断対象とすることができる。
【００１７】
このように、第３発明によれば、中央処理部において電力供給路の遮断の必要性を機器の種類により判定するので、さらに適切な機器の制御を実現できる電力監視処理システムを提供することができる。
【００１８】
第４発明は、第１〜第３発明において、
各電力監視部は、
該電力監視部に接続されている電気機器と該電力監視部の周辺の電気機器とのいずれか一方又は両方に対して、前記中央処理部から指示されたコマンドを送信するコマンド送信部を備え、
前記中央処理部は、前記存否判定部により人が居ない旨の判定がなされた場合に、少なくとも該人がいない旨の判定がなされた電力監視部に対し、該電力監視部に接続されている電気機器と該電力監視部の周辺の電気機器とのいずれか一方又は両方に送信すべきコマンドを指示するコマンド指示部を有することを特徴とする。
【００１９】
第４発明によれば、存否判定部により人間がいない旨の判定がなされた場合に、少なくとも人がいない旨の判定がなされた電力監視部に接続されている電気機器と周辺の電気機器とのいずれか一方又は両方に対してコマンドによる指示を行えることとしたので、人間がいない際にこれらの電気機器に適切な動作をさせることができる。
【００２０】
このように、第４発明によれば、電気機器に送信すべきコマンドを指示できるので、さらに適切な機器の制御を実現できる電力監視処理システムを提供することができる。
【００２１】
第５発明は、第１〜第４の発明において、
前記中央処理部は、前記存否判定部により人が居ない旨の判定がなされた場合に、さらに各電力監視部に接続されている電気機器又は各電力監視部の周辺にある電気機器の種類に関する情報に基づき各電気機器へのコマンド指示をすべきか否かを判定し、該電気機器へのコマンド指示をすべきであると判定した場合に、少なくとも該電力供給路を遮断すべきであると判定された電気機器が接続されている電力監視部又は該電力供給路を遮断すべきと判定された電気機器が周辺にある電力監視部にコマンドを指示するコマンド指示部を有することを特徴とする。
【００２２】
第５発明によれば、存否判定部による人が居ない旨の判定に加え、電気機器の種類に応じて電力供給路の遮断指令を送るか否かを判定することができるので、電力供給路を遮断すべき種類の電気機器のみを選択し、適切な動作をさせることができる。
【００２３】
このように、第５発明によれば、中央処理部において電気機器へのコマンド送信の必要性を機器の種類により判定するので、さらに適切な機器の制御を実現できる電力監視処理システムを提供することができる。
【００２４】
第６発明は、第１〜第５の発明において、
前記中央処理部は、前記電力監視部に接続されている電気機器へ供給される電力を遮断するための制御信号を通信ネットワークを介して受信し、該制御信号に基づいて遮断指令を該電力監視部に送信することを特徴とする。
【００２５】
第６発明によれば、電気機器へ供給される電力を遮断するための制御信号を通信ネットワークを介して受信し、電力監視部に送信することができる。
【００２６】
このように、第６発明によれば、不在時に建屋から離れた場所から任意のタイミングで電気機器へ供給される電力を遮断することができるので、さらに適切な機器の制御を実現できる電力監視処理システムを提供することができる。
【００２７】
第７発明は、第１〜第６の発明において、
前記中央処理部は、前記電力監視部に接続されている少なくとも一つの電気機器又は前記電力監視部の周辺の少なくとも一つの電気機器に所定の動作をさせるための制御信号を通信ネットワークを介して受信し、該制御信号を該電力監視部に送信することのできるコマンド指示部を有することを特徴とする。
【００２８】
第７発明によれば、電気機器に所定の動作をさせるための制御信号を通信ネットワークを介して受信し、電力監視部に送信することができる。
【００２９】
このように、第７発明によれば、不在時に建屋から離れた場所から任意のタイミングで特定の電気機器に適切な動作をさせることができるので、さらに適切な機器の制御を実現できる電力監視処理システムを提供することができる。
【００３０】
第８発明は、第７発明において、
前記電気機器が建屋のスマートキーシステムであることを特徴とする。
【００３１】
第８発明によれば、存否判定部により人間が居ない旨の判定がなされた場合に、スマートキーシステムが接続されている又はスマートキーシステムが周辺にある電力監視部にコマンドの指示を行って、建屋の鍵を施錠あるいは開錠することができるようにしたので、例えば外出時の施錠忘れを防止できたり、家族が鍵を持たずに外出した際に他の家族が遠隔地から鍵を開ける操作をすることができる。
【００３２】
このように、第８発明によれば、不在時に建屋から離れた場所から任意のタイミングで建屋のスマートキーシステムに適切な動作をさせることができるので、適切なスマートキーシステムの制御を実現できる電力監視処理システムを提供することができる。
【００３３】
第９発明は、第７発明において、
前記電気機器が照明器具であることを特徴とする。
【００３４】
第９発明によれば、存否判定部により人間が居ない旨の判定がなされた場合に、照明器具が接続されている又は照明器具が周辺にある電力監視部にコマンドの指示を行って、帰宅前から建屋内の照明器具を点灯させることができるようにしたので、例えば夜間に暗い家に帰ることの不安感を解消することができる。
【００３５】
このように、第９発明によれば、不在時に建屋から離れた場所から任意のタイミングで照明器具に適切な動作をさせることができるので、適切な照明器具の制御を実現できる電力監視処理システムを提供することができる。
【００３６】
第１０発明は、第７発明において、
前記電気機器がエアコンディショナであることを特徴とする。
【００３７】
第１０発明によれば、存否判定部により人間が居ない旨の判定がなされた場合に、エアコンディショナが接続されている又はエアコンディショナが周辺にある電力監視部にコマンドの指示を行って、例えば帰宅時に建屋内が快適な温度・湿度となるように帰宅前からエアコンディショナを動作させるなどの適切な動作をさせることができる。
【００３８】
このように、第１０発明によれば、不在時に建屋から離れた場所から任意のタイミングでエアコンディショナに適切な動作をさせることができるので、適切なエアコンディショナの制御を実現できる電力監視処理システムを提供することができる。
【００３９】
第１１発明は、第７発明において、
前記電気機器がガスメータであることを特徴とする。
【００４０】
第１１発明によれば、存否判定部により人間が居ない旨の判定がなされた場合に、ガスメータが接続されている又はガスメータが周辺にある電力監視部にコマンドの指示を行って、ガスメータにガスの元栓を閉めるなどの適切な動作をさせることができる。
【００４１】
このように、第１１発明によれば、不在時に建屋から離れた場所から任意のタイミングでガスメータに適切な動作をさせることができるので、適切なガスメータの制御を実現できる電力監視処理システムを提供することができる。
【図面の簡単な説明】
【００４２】
【図１】本発明の一実施形態に係る電力監視処理システムの構成を示すブロック図である。
【図２】図１中の中央処理部の構成を示すブロック図である。
【図３】図１中の電力監視部の構成を示すブロック図である。
【図４】図２の中央処理部による処理を示すフローチャートである。
【図５】図２の中央処理部による処理の変更例を示すフローチャートである。
【発明を実施するための形態】
【００４３】
以下、図面を用いて本発明の実施形態を説明する。
【００４４】
まず、図１を参照して、本発明の一実施形態に係る電力監視処理システムの構成について説明する。
【００４５】
本発明の一実施形態である電力監視処理システムは、建屋１の電力供給口２と電気機器３との間に介在する電力監視部４と、複数の電力監視部４から送られるデータに基づく処理を行う中央処理部５とを備えている。電力監視部４及び中央処理部５は、ＣＰＵ、メモリ、プログラム、論理回路等を含んで構成される。
【００４６】
電力監視部４は、電気機器３に供給される電力を監視するとともに、電気機器３の制御等に係る各種機能を有する。電力供給口２には、建屋１の分電盤６から例えばＡＣ１００Ｖの電圧で電力が供給される。電力供給口２は、例えば電源コンセントで構成される。電気機器３としては、エアコンディショナ、照明器具、テレビ、洗濯機、ガスメータ等が該当する。
【００４７】
次に、図２を参照して、電力監視部４の構成について説明する。
【００４８】
各電力監視部４は、これに接続されている電気機器３に供給される電力を測定するための電流センサ８と、該電力監視部４の周囲の温度及び湿度を検出するための温湿度センサ９と、中央処理部５とのデータ通信を行うための端末通信部１０とを備える。
【００４９】
端末通信部１０は、電流センサ８が検出した電流データ及び温湿度センサ９が検出した温湿度データを一定の短い時間間隔で繰り返し中央処理部５に送信する。
【００５０】
各電力監視部４には、ＩＰアドレス、識別符号などが割り当てられている。温湿度センサの代わりに、温度センサのみを用いてもよい。また、温湿度センサ９の代わりに又は加えて、照度センサを用いてもよい。
【００５１】
各電力監視部４には、電力供給口２から供給される電力が入力される電力入力部１１と入力された電力を出力する電力出力部１２とが設けられる。電力入力部１１は、例えば電源プラグで構成される。電力出力部１２は、例えばコンセントで構成される。
【００５２】
また、各電力監視部４には、電力入力部１１から電力出力部１２までの電力供給路をリレースイッチにより遮断する電力遮断部１３が設けられる。
【００５３】
また、各電力監視部４には、コマンド送信部１４が設けられる。コマンド送信部１４は、それが属する電力監視部４に接続されている電気機器３とその電力監視部４の周辺の電気機器３とのいずれか一方又は両方に対して、これを制御するためのコマンドを送る機能を有する。
【００５４】
コマンドは、その電気機器３を遠隔制御するためのリモコンで送信し得るものと同様の媒体（例えば赤外線、Ｂｌｕｅｔｏｏｔｈ（登録商標）、Ｗｉ−Ｆｉ（登録商標）その他の無線、及び銅線等の有線通信ケーブル）による同様の信号で構成される。
【００５５】
次に、図３を参照して、中央処理部５の構成について説明する。
【００５６】
中央処理部５は、各電力監視部４及び外部の端末やモバイル機器などで構成される制御信号発信端末７との間で相手方を特定してデータ通信を行うための中央通信部１８と、建屋１に人間が居るか否かを判定する存否判定部１５とを備える。
【００５７】
中央通信部１８は、インターネット等の通信ネットワークに接続されており、該通信ネットワークを介して種々の情報を各電力監視部４及び制御信号発信端末７との間で送受信する機能を有している。
【００５８】
中央通信部１８は、上記の通信ネットワークを介し、各電力監視部４及び各制御信号発信端末７に割り当てられているＩＰアドレス、識別符号などに基づいて各電力監視部４及び各制御信号発信端末７を特定して該電力監視部４及び該制御信号発信端末７との通信を行う。
【００５９】
なお、中央通信部１８と各電力監視部４とを接続する通信ネットワークは、無線又はＰＬＣ（パワー・ライン・コミュニケーション）により構成するようにしてもよい。
【００６０】
また、中央処理部５は、各電力監視部４や制御信号発信端末７からの情報に基づいて所定の処理をそれぞれ行うコマンド指示部１６、保護部１７を備える。
【００６１】
存否判定部１５は、各電力監視部４から送られる検出データに基づいて、上記人間存否の判定を行う。例えば、電力監視部４から送られた電流データが所定値以下の電流値を示しており、該電力監視部４から送られた温湿度データが所定の範囲外である場合には、その電力監視部４が設置された部屋に人間が居ないと判定する。
【００６２】
中央処理部５は、存否判定部１５により人が居ない旨の判定がなされた場合に、さらに各電力監視部４に接続されている電気機器３又は各電力監視部４の周辺にある電気機器３の種類に関する情報に基づき各電気機器３への電力供給路を遮断すべきか否かを判定し、各電気機器３への電力供給路を遮断すべきであると判定した場合に、少なくとも電力供給路を遮断すべきであると判定された電力監視部４に前記遮断指令を送る機能を有する。
【００６３】
これにより、例えば電力需要が逼迫した際の電力抑制を行う場合であっても、電気機器３の種類によっては電力抑制の対象から除外したいものが存在する場合に、効率的に電力供給路の遮断を行うべき電気機器３を選択させることができる。
【００６４】
あるいは、中央処理部５は、存否判定部１５により人が居ない旨の判定がなされた場合に、さらに各電力監視部４が設置されている位置に関する情報（例えば緯度及び経度）に基づき電気機器３への電力供給路を遮断すべきか否かを判定し、各電気機器３への電力供給路を遮断すべきであると判定した場合に、少なくとも電力供給路を遮断すべきであると判定された電力監視部４に遮断指令を送る機能を有することとしてもよい。
【００６５】
これにより、例えば電力需要が逼迫した際の電力抑制を特定の地域に存在する電力監視部４に対してのみ行いたい場合に、効率的に電力供給路の遮断を行うべき電気機器３を選択させることができる。
【００６６】
コマンド指示部１６は、存否判定部１５により人間が居ない旨の判定がなされた場合に、少なくとも人がいない旨の判定がなされた電力監視部４に接続されている電気機器３とその周辺の電気機器３とのいずれか一方又は両方に対して送信すべきコマンドを指示する機能を有する。
【００６７】
コマンド指示部１６は、存否判定部１５により人が居ない旨の判定がなされた場合に、さらに各電力監視部４が設置されている種類に関する情報に基づき前記電気機器３へのコマンド指示をすべきか否かを判定し、電気機器３へのコマンド指示をすべきであると判定した場合に、少なくともコマンド指示をすべきであると判定された電力監視部４にコマンドを指示する機能を有する。これにより、例えば電力需要が逼迫した際の電力抑制を行う場合であっても、電気機器３の種類によっては電力抑制の対象から除外したいものが存在する場合に、効率的にコマンド指示を行うべき電気機器３を選択させることができる。
【００６８】
あるいは、コマンド指示部１６は、存否判定部１５により人が居ない旨の判定がなされた場合に、さらに各電力監視部４が設置されている位置に関する情報（例えば緯度及び経度）に基づき各電気機器３へのコマンド指示をすべきか否かを判定し、各電気機器３へのコマンド指示をすべきであると判定した場合に、少なくとも該コマンド指示をすべきと判定された電気機器３が接続されている電力監視部４又は該コマンド指示をすべきと判定された電気機器３が周辺にある電力監視部４にコマンドを指示する機能を有することとしてもよい。
【００６９】
これにより、例えば電力需要が逼迫した際の電力抑制を特定の地域に存在する電力監視部４に対してのみ行いたい場合に、効率的にコマンド指示を行うべき電力監視部４を選択させることができる。
【００７０】
コマンド指示部１６は、通信ネットワークを介して外部の端末やモバイル機器などで構成される制御信号発信端末７から、電力監視部４に接続されている少なくとも一つの電気機器３又は電力監視部４の周辺の少なくとも一つの電気機器３に所定の動作をさせるための制御信号を通信ネットワークを介して受信し、該制御信号を該電力監視部４に送信することができる。
【００７１】
これにより、不在時に建屋から離れた場所から任意のタイミングで特定の電気機器３に適切な動作をさせることができる。
【００７２】
例えば、電気機器３は建屋１のスマートキーシステムである。
【００７３】
この場合、コマンド指示部１６は、電力監視部４を介して建屋１のスマートキーシステムに対して施錠を行う旨の指令や開錠する旨の指令を送ることができる。
【００７４】
これにより、外出時に玄関の施錠を失念した場合でも自動的に玄関の施錠が行われるので、防犯上好都合である。
【００７５】
また、例えば家族が鍵を持たずに外出した際に他の家族が遠隔地から鍵を開ける操作を行うこともできる。
【００７６】
あるいは、電気機器３は照明器具である。
【００７７】
この場合、コマンド指示部１６は、電力監視部４を介して該照明器具に対して所定の動作をさせる指令を送ることができる。これにより、例えば暗い家に帰ることの不安感を効果的に解消することができる。
【００７８】
あるいは、電気機器３はエアコンディショナである。
【００７９】
この場合、コマンド指示部１６は、電力監視部４を介して該エアコンディショナに対して所定の動作をさせる指令を送ることができる。これにより、例えば帰宅時に建屋１内が快適な温度となるように帰宅前から効果的にエアコンディショナを動作させることができる。
【００８０】
あるいは、電気機器３はガスメータである。
【００８１】
この場合、コマンド指示部１６は、電力監視部４を介してガスメータに対して所定の動作をさせる指令を送ることができる。これにより、例えば長期の外出時にガスの元栓を閉める動作を該ガスメータにさせることができる。
【００８２】
なお、中央処理部５には、各電力監視部４に接続されている又は各電力監視部４の周辺の電気機器３の種類や機種、それを制御するためのリモコンにおけるコマンドの信号フォーマット、各制御信号発信端末７のＩＰアドレスや識別情報、各電力監視部４の位置に関する情報（例えば緯度及び経度）、などの情報が、各電力監視部４や電気機器３のＩＰアドレスや識別情報に対応付けて予め設定され、記憶されている。
【００８３】
あるいは、中央処理部５は、電気機器３、電力監視部４や制御信号発信端末７に予め設定されている該情報を読み取ることにより、これらのＩＰアドレスや識別情報に対応付けて該情報を取得するようにしてもよい。
【００８４】
保護部１７は、例えば雷に関する気象情報に基づいて雷サージから電気機器３を保護するために該電気機器３への電力供給路を遮断すべきであると判定した場合に、各電力監視部４に遮断を行うべき旨の遮断指令を送る機能を有する。
【００８５】
次に、図４を参照して、本実施例における中央処理部５における処理の流れについて説明する。
【００８６】
図４は、本実施例における中央処理部５での処理の流れを示すフローチャートである。この処理は、一定の短い時間間隔で繰り返し行われる。中央処理部５は、図４の処理を開始すると、まず、存否判定部１５により、各電力監視部４から送られる電流センサ８及び温湿度センサ９の検出データに基づき、建屋１内に人間が居るか否かを判定する存否判定処理を行う（ステップＳ１）。
【００８７】
この処理では、例えば、電流センサ８が検出した電流データが所定値以下であり、温湿度センサ９が検出した温湿度データが示す温度及び湿度が所定の範囲外であれば、人間が居ないと判定される。
【００８８】
ステップＳ２では、ステップＳ１の存否判定処理によって人間が建屋１内に存在しないと判定したかどうかを判定する。人間が建屋１内に存在すると判定した場合には、そのまま図４の処理を終了する。
【００８９】
一方、ステップＳ２で人間が存在しないと判定した場合には、ステップＳ３及びＳ４の各処理を行ってからステップＳ５に進む。
【００９０】
すなわち、ステップＳ３のコマンド指示処理では、コマンド指示部１６により、少なくとも人間が存在しない旨の判定がなされた電力監視部４に対し、その電力監視部４に接続されている電気機器３とその電力監視部４の周辺の電気機器３とのいずれか一方又は両方に、送信すべきコマンドを指示する。
【００９１】
例えば、電力監視部４を介して、その周辺にあるスマートキーシステム、照明器具、エアコンディショナ、ガスメータに所定の動作をさせるコマンドを指示する。
【００９２】
当該電力監視部４は、この指示を受信すると、指示されたコマンドを、当該ガスメータ、照明器具、エアコンディショナ、ガスメータに対して、コマンド送信部１４によって送信する。これにより、例えば建屋１の鍵を閉める、建屋１内の照明器具を点灯させる、エアコンディショナの運転を開始させる、ガスの元栓を閉めるなどの制御ができる。
【００９３】
具体的には、電気機器３がスマートキーシステムである場合、電力監視部４は、存否判定部により人間が居ない旨の判定がなされた場合に、スマートキーシステムが接続されている又はスマートキーシステムが周辺にある電力監視部にコマンドの指示を行って、建屋の鍵を施錠あるいは開錠できる。
【００９４】
これにより、例えば外出時の施錠忘れを防止できたり、家族が鍵を持たずに外出した際に他の家族が遠隔地から鍵を開ける操作をすることができる。
【００９５】
また、電気機器３が照明器具である場合、電力監視部４は、存否判定部により人間が居ない旨の判定がなされた場合に、照明器具が接続されている又は照明器具が周辺にある電力監視部にコマンドの指示を行って、建屋内の照明器具を所定の照度で点灯させたり、照明器具を消灯させたりすることができる。
【００９６】
これにより、例えば夜間に暗い家に帰ることの不安感を解消することができる。
【００９７】
さらに、電気機器３がエアコンディショナである場合、電力監視部４は、存否判定部により人間が居ない旨の判定がなされた場合に、エアコンディショナが接続されている又はエアコンディショナが周辺にある電力監視部にコマンドの指示を行うことができる。
【００９８】
これにより、例えば帰宅時に建屋内が快適な温度・湿度となるように帰宅前からエアコンディショナを動作させる動作をさせることができる。
【００９９】
あるいは、電気機器３がガスメータである場合、電力監視部４は、存否判定部により人間が居ない旨の判定がなされた場合に、ガスメータが接続されている又はガスメータが周辺にある電力監視部にコマンドの指示を行う処理である。
【０１００】
これにより、例えば不在時にガスメータにガスの元栓を閉める動作をさせることができる。
【０１０１】
中央処理部５は、これらのコマンド送信を各電力監視部４に送信するか否かの判定を、各電力監視部４に接続されている又は各電力監視部４の周辺の電気機器３の種類によって行うこともできる。
【０１０２】
あるいは、中央処理部５は、これらのコマンド送信を各電力監視部４に送信するか否かの判定を、各電力監視部４が設置されている位置に関する情報（例えば緯度及び経度）によって行うこととしてもよい。
【０１０３】
ステップＳ４では、例えばインターネット等のネットワークを介して得られる落雷情報に基づいて、雷サージから電気機器３を保護するために各電力監視部４に接続された又はその周辺の電気機器３への電力供給路を遮断すべきかどうかを判定し、遮断すべきと判定した場合には、保護部１７よりステップＳ６において電力供給路を遮断すべきと判定した電力監視部４に当該電力供給路を遮断すべき旨の遮断指令を送信して、図４の処理を終了する。遮断すべきと判定しなかった場合には、そのまま図４の処理を終了する。
【０１０４】
なお、電力供給路を遮断すべきかどうかの判定は、存否判定部１５による人が居ない旨の判定に加え、各電力監視部４に接続されている又は各電力監視部４の周辺の電気機器３の種類に基づいて行うことができる。
【０１０５】
あるいは、電力供給路を遮断すべきかどうかの判定は、存否判定部１５による人が居ない旨の判定に加え、各電力監視部４が設置されている位置に関する情報（例えば緯度及び経度）や、インターネット等のネットワークを介して得られる気象情報に基づいて、落雷が所定の近傍で発生したかどうかによって行うこととしてもよい。
【０１０６】
また、中央処理部５は、制御信号発信端末７から電気機器３への電力供給路を遮断するための制御信号を受信した場合も、電力供給路を遮断すべきと判定し、遮断指令を送信する。
【０１０７】
遮断指令が送信された場合、これを受信した各電力監視部４に接続されている電気機器３への電力供給路が、その電力監視部４の電力遮断部１３により遮断される。これにより、例えば雷サージから電気機器３が効果的に保護される。
【０１０８】
以上のように、本実施形態によれば、電流センサ８及び温湿度センサ９が検出したデータに基づいて存否判定部１５により建屋１に人間が居るか否かを判定するようにしたので、人感センサを用いなくても人間が建屋内に居るか否かをより確実に検知して、適切な機器の制御が実現できる電力監視処理システムを提供することができる。
【０１０９】
また、中央処理部５は、存否判定部１５により人間が居ない旨の判定がなされた場合に、上述のコマンド指示処理（ステップＳ３）を行うようにしたので、スマートキーシステム、ガスメータ、照明器具、エアコンディショナなどの電気機器３により適切な動作をさせることができる電力監視処理システムを提供することができる。
【０１１０】
また、中央処理部５は、存否判定部１５により人間が居ない旨の判定がなされた場合に、上述の保護処理（ステップＳ４）を行うようにしたので、電気機器３を雷サージなどから効果的に保護することができる電力監視処理システムを提供することができる。
【０１１１】
次に、図５を参照して、本実施例における中央処理部５における処理の流れの変更例について説明する。なお、図４と同一の構成には同一の符号を付して詳細な説明を省略する場合がある。
【０１１２】
図５は、本実施例における中央処理部５での処理の流れの変更例を示すフローチャートである。この処理は、一定の短い時間間隔で繰り返し行われる。中央処理部５は、図４の処理を開始すると、まず、存否判定部１５により、各電力監視部４から送られる電流センサ８及び温湿度センサ９の検出データに基づき、建屋１内に人間が居るか否かを判定する存否判定処理を行う（ステップＳ１）。
【０１１３】
ステップＳ２では、ステップＳ１の存否判定処理によって人間が建屋１内に存在するか否か判定する。人間が建屋１内に存在しないと判定した場合には、ステップＳ３及びＳ４の各処理を行ってからステップＳ５に進む。
【０１１４】
一方、ステップＳ２で人間が存在すると判定した場合には、ステップＳ３’の処理を行ってからステップＳ４に進む。
【０１１５】
すなわち、ステップＳ３’のコマンド指示処理では、コマンド指示部１６により、少なくとも人間が存在する旨の判定がなされた電力監視部４に対し、その電力監視部４に接続されている電気機器３とその電力監視部４の周辺の電気機器３とのいずれか一方又は両方に、送信すべきコマンドを指示する。
【０１１６】
例えば、電力監視部４を介して、その周辺にあるスマートキーシステム、照明器具、エアコンディショナ、ガスメータに所定の動作をさせるコマンドを指示する。
【０１１７】
当該電力監視部４は、この指示を受信すると、指示されたコマンドを、当該スマートキーシステム、照明器具、エアコンディショナ、ガスメータに対して、コマンド送信部１４によって送信する。これにより、建屋１内に人間が存在する場合に建屋１内の電気機器３が行うべき所定の動作を各電気機器３に行わせるように制御ができる。
【０１１８】
あるいは、電力監視部４に火災センサを設け、ステップＳ３’のコマンド指示処理において該火災センサの検出データに基づいて火災が発生した旨を中央処理部５が判定したとき、中央処理部５にコマンド音声、画像等の出力をさせたり、予め登録されたモバイル機器に火災が発生した旨のメール等を送信するコマンド送信をコマンド指示部１６に行わせることとしてもよい。
【０１１９】
これにより、存否判定部による判定結果を適切に利用しながら、火災が発生した旨を報知することができる。
【０１２０】
あるいは、電力監視部４に建屋１内の人間の位置を検出する現在位置センサを設け、ステップＳ３’のコマンド指示処理において該現在位置センサの検出データに基づいて建屋１内に存在すると判定された人間の現在位置に関する処理を行うこととしてもよい。
【０１２１】
例えば、中央処理部５に建屋１の見取り図を表示し、その上に当該人間の現在位置を示すマークを表示したり、当該現在位置を音声等で出力するコマンド送信をコマンド指示部１６に行わせることとしてもよい。
【０１２２】
また、かかる表示や出力の情報を、予め登録されているモバイル機器に送信するコマンド送信をコマンド指示部１６に行わせることとしてもよい。
【０１２３】
これにより、人間の現在位置に応じた適切な処理を行うことができる。
【０１２４】
あるいは、電力監視部４に漏水センサを設け、ステップＳ３’のコマンド指示処理において該漏水センサ検出データに基づいて漏水が発生した旨を中央処理部５が判定したとき、中央処理部５にコマンド音声、画像等の出力をさせたり、予め登録されたモバイル機器に漏水が発生した旨のメール等を送信するコマンド送信をコマンド指示部１６に行わせることとしてもよい。
【０１２５】
これにより、ユーザは、洗濯機や風呂場で漏水が生じたことを直ちに知ることができる。
【０１２６】
図５のステップＳ４以降の処理については、図４のステップＳ４以降の処理と同一であるため、説明を省略する。
【０１２７】
以上、本発明の実施形態について説明したが、本発明はこれに限定されない。例えば、電気機器３として、上記のスマートキーシステム、ガスメータ、照明器具やエアコンディショナのほか、扇風機、暖房器具、テレビ、冷蔵庫など他の家電製品を含めてもよい。
【０１２８】
また、存否判定部１５は、電流センサ８や温湿度センサ９に加え、照度センサ、人感センサによる検出データを考慮して人間の存否を判定するようにしてもよい。
【符号の説明】
【０１２９】
１…建屋、２…電力供給口、３…電気機器、４…電力監視部、５…中央処理部、６…分電盤、７…制御信号発信端末、８…電流センサ、９…温湿度センサ、１０…端末通信部、１１…電力入力部、１２…電力出力部、１３…電力遮断部、１４…コマンド送信部、１５…存否判定部、１６…コマンド指示部、１７…保護部、１８…中央通信部。
【図１】
2019080149.tif 000003
【図２】
2019080149.tif 000004
【図３】
2019080149.tif 000005
【図４】
2019080149.tif 000006
【図５】
2019080149.tif 000007